(57)【要約】【課題】擁壁用ブロックから構築される擁壁において、水抜き用の孔によって排出される地山からの水をブロック前面に流すことなく擁壁外へ排出されるとともに、この排出される水を植栽部へ誘導することによって、人為的な強制的な植栽を避け自然に植栽可能な植栽部を提供することを課題とする。【解決手段】擁壁用ブロック側面の一部に水みちを設けること、および該水みちの途中に植栽部と成りえる空間を設けることによって、擁壁背後の土中の水をブッロク前面を通さずに擁壁外へ排出されるとともに、自然に従った植栽が可能となる擁壁用ブロックを提供する。【選択図】図６
2005290664.tif 000002
【特許請求の範囲】
【請求項１】
前壁、中間壁、中間壁に取り付けられている控え部材とから構成される擁壁用ブロックにおいて、中間壁前部頂部と中間壁前部と中間壁後部とから中間壁が構成されており、さらに前壁と中間壁との間に貯水可能な空間部を有することを特徴とする擁壁用ブロック。
【請求項２】
地山から排出された水が前壁と中間壁との間の貯水可能な空間部へ誘導される構造を有することを特徴とする請求項１記載の擁壁用ブロック。
【請求項３】
前壁と中間壁との間の貯水可能な空間部から溢れ出した水が前壁と中間壁との間を通ってそれぞれ左右反対方向、又は一定の方向へ流れ出す構造を有することを特徴とする請求項１及び請求項２記載の擁壁用ブロック。
【請求項４】
水抜き孔が控え部材中に設けられていて、該水抜き孔によって地山と前壁と中間壁との間の貯水可能な空間部とが連通していることを特徴とする請求項１、請求項２及び請求項３記載の擁壁用ブロック。
【請求項５】
前壁が吸水率２〜２０％のセメント系素材、またはポーラスコンクリートであることを特徴とする請求項１、請求項２、請求項３および請求項４記載の擁壁用ブロック。
【請求項６】
請求項１、請求項２、請求項３、請求項４または請求項５記載の擁壁用ブロックによって構成される擁壁において、前壁と中間壁との間の貯水可能な空間部から溢れ出した水が前壁と中間壁との間を通ってそれぞれ左右反対方向、又は一定の方向へ流れ出し、下段の擁壁用ブロックの前壁と中間壁との間の貯水可能な空間部へ流れ込み、更に余剰となった水は順次同様に流れ下り最下段から擁壁の外に排出される構造を有することを特徴とする擁壁。
【請求項７】
隣り合う擁壁用ブロックの中間壁前部と擁壁用ブロックの中間壁前部との間の空間に植栽部を設置することを特徴とする請求項６記載の擁壁。
【発明の詳細な説明】
【技術分野】
【０００１】
本発明は、擁壁用ブロックおよびそれを用いた擁壁に関する。
【背景技術】
【０００２】
従来、道路わきの擁壁等は、コンクリート製の積みブロックを積み重ねることによって構築される場合が多い。この場合の道路わきの法面に擁壁を構築する方法は、法面の傾斜に合わせて積みブロックを積み重ねていき、積みブロックと法面を有する地盤の間の空隙内に裏込めコンクリートを流し込んでいる。しかしながら、地盤中に雨水が浸透すると、土圧の増加によって、擁壁等が崩壊する恐れがあった。
【０００３】
そのため、例えば、積みブロック自体に水抜き用の孔を設けていたり（例えば、特許文献１参照）、ブロック同士の間に水抜き用の孔を設けたり（例えば、特許文献２参照）して、この孔から地盤中の水を排水させることによって土圧の増加を防いでいる。
【０００４】
一方で、コンクリート製の擁壁は、堅固な法面を構成することで土砂崩れ等の被害対策には非常に有効である。しかしながらその反面、景観上や、生態系の保全等の面からは好ましくないという問題点があった。
【０００５】
そのため、積みブロックの内部に空間部（植栽部）を設け、その空間に植栽用の土を充填し、そこに植物等を植栽したりして、景観性の向上や生態系の保全を図っている（例えば、特許文献３参照）。この場合、植栽部に保水されるそれ以上の水が流入して来た場合は、植栽部底部に設けられた水抜き孔によって下段のブロックの植栽部に導かれるような技術も開発されている（例えば、特許文献４参照）
【特許文献１】特許第３２８４２４３号公報
【特許文献２】特許第２９５８８７０号公報
【特許文献３】特開平０７−１９７４７９号公報
【特許文献４】特開平０６−２５７１７４号公報
【０００６】
しかしながら、積みブロック自体に水抜き用の孔を設けていたり、ブロック同士の間に水抜き用の孔を設けたりする方法では、土中の水は該水抜き用の孔によって擁壁前面に排出されブロック表面を流れ落ちるので、水が通った跡は汚くなるという問題点がある。
【０００７】
一方で、植栽部を設けて植栽する方法では、植栽部に充填された土に保水される水の量には限界があり、降雨が長期間なかったり、高温が続いたりした場合には、植物が枯死して景観上見苦しいという問題点がある。
また、保水される以上の水が流入した場合は、オーバーフローして植栽部から溢れブロック前面から流れ落ち、上述のようなブロック前面の汚濁を起こすという問題点もある。
【発明の開示】
【発明が解決しようとする課題】
【０００８】
本発明は、上記従来技術の問題点に鑑みてなされたもので、水抜き用の孔によって排出される水をブロック前面を流れることなく擁壁外へ排出されるとともに、この排出される水を植栽部へ誘導することによって、人為的な強制的な植栽を避け自然に植栽可能な植栽部を有する擁壁及び該擁壁を構築するための擁壁用ブロックを提供することを課題とする。
【課題を解決するための手段】
【０００９】
本発明者らは、上記課題を解決するために鋭意検討した結果、ブロック側面の一部に水みちを設けること、および該水みちの途中に植栽部と成り得る空間を設けることによって、擁壁背後の土中の水をブッロク前面を通さずに擁壁外へ排出されるとともに、自然に従った植栽が可能となることを見出し、本発明を完成した。
【００１０】
すなわち、前壁、中間壁、中間壁に取り付けられている控え部材とから構成される擁壁用ブロックにおいて、中間壁前部頂部と中間壁前部と中間壁後部とから中間壁が構成されており、さらに前壁と中間壁との間に貯水可能な空間部を有することを特徴とする擁壁用ブロックである（請求項１）。
そして、地山から排出された水が前壁と中間壁との間の貯水可能な空間部へ誘導される構造を有することを特徴とする請求項１記載の擁壁用ブロックである（請求項２）。
さらに、前壁と中間壁との間の貯水可能な空間部から溢れ出した水が前壁と中間壁との間を通ってそれぞれ左右反対方向、又は一定の方向へ流れ出す構造を有することを特徴とする請求項１及び請求項２記載の擁壁用ブロック（請求項３）である。
次に、水抜き孔が控え部材中に設けられていて、該水抜き孔によって地山と前壁と中間壁との間の貯水可能な空間部とが連通していることを特徴とする請求項１、請求項２及び請求項３記載の擁壁用ブロックである（請求項４）。
そして、前壁が吸水率２〜２０％のセメント系素材、またはポーラスコンクリートであることを特徴とする請求項１、請求項２、請求項３および請求項５記載の擁壁用ブロック
である（請求項５）。
そして、請求項１、請求項２、請求項３、請求項４または請求項５記載の擁壁用ブロックによって構成される擁壁において、前壁と中間壁との間の貯水可能な空間部から溢れ出した水が前壁と中間壁との間を通ってそれぞれ左右反対方向、又は一定の方向へ流れ出し、下段の擁壁用ブロックの前壁と中間壁との間の貯水可能な空間部へ流れ込み、更に余剰となった水は順次同様に流れ下り最下段から擁壁の外に排出される構造を有することを特徴とする擁壁である（請求項６）。
また、隣り合う擁壁用ブロックの中間壁前部と擁壁用ブロックの中間壁前部との間の空間に植栽部を設置することを特徴とする請求項６記載の擁壁である（請求項７）。
【００１１】
本発明による擁壁用ブロックおよび擁壁は、次の方法によって製造および構築される。
〔擁壁用ブロックの製造〕
本発明の擁壁用ブロックの製造方法は、特に限定されるものではなく、通常のコンクリート製品を製造する方法に従えば良い。
即ち、各材料を軽量し、ミキサーに投入・攪拌後、鉄筋等を配置した所定の型枠に充填し、流し込みによる振動締め固め、又は加圧ないし加圧振動締め固めを行う。養生方法は気中養生、蒸気養生の何れでも良い。養生後、脱型することによって、本発明の擁壁用ブロックを製造することができる。
【００１２】
〔擁壁の構築〕
擁壁の構築は、特に限定されるものではなく、通常のコンクリート製擁壁を構築する方法に従えば良い。
すなわち、基礎コンクリート打設後、多数の擁壁用ブロックの側面を突き合わせて並列し、擁壁用ブロックの地山側に胴込め材料を充填しながら、順次段数を積み上げて施工して行き、最後に天端コンクリートを打設すれば良い。積み方としては、布積み、谷積み等いずれでも良い。
【００１３】
〔植栽部の作成〕
植栽部は、水透過性材料、又は植生基盤から構成される。水透過性材料の例としては、塩化ビニル製やポリプロン製等からなる樹脂繊維、バガスや椰子殻繊維等からなる植物性繊維等から構成される水透過性を有するブロック状物や網目状物等がある。これらの形状は特に限定されるものではなく、布状、矩形状、三角形状、Ｔ字形状、球形状でも良い。植生基盤の例としては、肥料等を充填したポーラスコンクリート製ブロック、肥料等を混入したパーライト等をブロック化したもの等がある。これらの形状は特に限定されるものではなく、矩形状、三角形状、Ｔ字形状、球形状でも良い。
これらの水透過性材料、又は植生基盤を、隣り合う擁壁用ブロックの中間壁前部と擁壁用ブロックの中間壁前部との間の空間に設置することにより植栽部を作成することができる。設置方法は特に限定されるものではなく、補助具を使用して固定しても良く、前記空間に嵌め込んでも良いし、接着材等で擁壁用ブロックに接着しても良いし、Ｔ字形状のものを引っ掛けるだけでも良いし、隣り合う擁壁用ブロックの中間壁前部と擁壁用ブロックの中間壁前部とを跨ぐように設置しても良い。
【発明の効果】
【００１４】
従来、積みブロックにより構築された擁壁は、積みブロック前面に水抜き孔が存在し、このため該水抜き孔が擁壁全面に点在して景観を損ねているだけでなく、該水抜き孔から排出された擁壁背後の土中の水が積みブロック表面を通過した跡が汚く汚れて更に不快感を与えていた。
また、植栽部を設けた積みブロックによる擁壁の場合は、植栽部に充填された土等の保水量の制限や降雨が長期間なかった場合等を考慮せず、強制的に植栽を施したことにより前述の乾燥等により植物が枯死する場合があり、この場合は枯死した植物がそのまま存在するため著しく景観を損ない極めて不快感を与えていた。
【００１５】
本発明の擁壁用ブロックによれば、擁壁用ブロックの側面に水みちができるように構成されている為、擁壁用ブロックの前面が水の通過によって汚れることもなく、また、自然の条件に合った場合のみ植栽が可能となるように構成されている為、過度の植栽による枯死をもたらすこともなく、極めて良好な景観を提供することができる。
さらに、擁壁用ブロック表面を擬石等で化粧した場合や表面にデザイン性をもたらすような装飾を施した場合は、上記水跡による汚れが発生しないため、良好な景観を維持し続けることができる。
【発明を実施するための最良の形態】
【００１６】
以下、本発明の擁壁用ブロックおよび該擁壁用ブロックによって構築された擁壁の一例を図面にしたがって説明する。
図１は本発明の擁壁用ブロックの一例の正面図、図２は図１の擁壁用ブロックの平面図、図３は図１の擁壁用ブロックの側面図、図４は図１の擁壁用ブロックの背面図、図５は図１の擁壁用ブロックのＡ−Ａ断面図、図６は図１の擁壁用ブロックの斜視図、図７は図１の擁壁用ブロックの背後からの斜視図、図８は図１の擁壁用ブロックの前壁を取り除いたときの斜視図、図９は図１の擁壁用ブロックを用いて構築した擁壁の一例およびその周囲を示す正面図、図１０は図９の擁壁の斜視図、図１１は図９の擁壁の断面図、図１２は本発明の擁壁用ブロックの更なる他の例を示す擁壁用ブロックの斜視図、図１３は図１２の擁壁用ブロックの背後からの斜視図、図１４は図１２の擁壁用ブロックの断面図、図１５は図１２の擁壁用ブロックを用いて構築した擁壁の一例およびその周囲を示す斜視図である。図１６は図９の植栽部設置部分付近の部分拡大図である。
【００１７】
本発明の擁壁用ブロック１は、図１〜図８、図１２〜図１４に示すように、擁壁用ブロックの施工後に露出面となる前面を有する前壁２と、前壁２の裏面側に設けられる中間壁３と、中間壁３の裏面側に取り付けられる控え部材４とから構成される擁壁用ブロックである。
【００１８】
前壁２は、水平方向の幅が中間壁後部３ｃと同じ幅でも、一回り小さい幅でも良い。ただし、擁壁が前面側に湾曲している場合には一回り小さい幅の方が施工しやすいため好ましい。
【００１９】
また、前壁２の前面（表面）は、擁壁用ブロックの美観を向上させるために、複数の幾何学的な形状となる起伏を設けたり、顔料等で着色したり、天然石や擬石を任意に配置したり、またこれらを複数組合わせても良い。幾何学的な形状となる起伏を設けた例を図６及び図１２に示してある。さらに、前壁２の全部または一部を吸水率の高いセメント系素材（例えば吸水率２〜２０％のセメント系素材）、またはポーラスコンクリート製としても良い。
【００２０】
中間壁３は、中間壁後部３ｃと中間壁前部３ｂと中間壁前部頂部３ａとから構成されている。中間壁前部３ｂは、中間壁後部３ｃより小さく構成されている。そして、中間壁前部３ｂの上部の両端には略台形状を成す中間壁前部頂部３ａが設けられている。この中間壁前部頂部３ａの形状は任意の形状でも構わないが、両端の中間壁前部頂部３ａの形状が同じであることが好ましい。また、中間壁前部頂部３ａの高さは、中間壁後部３ｃの高さより低くなるように構成されている。このような構成としたのは、中間壁後部３ｃ、中間壁前部３ｂ、該中間壁前部３ｂの上部に位置する２個の中間壁前部頂部３ａ、および前壁２とで囲まれる空間を形成し、該空間を貯水可能な空間部５とするためである。
【００２１】
このような構成にすることによって、上段の擁壁用ブロック１の切欠部６から排出された水または上部の水抜きパイプ９から流入する水は、下段の擁壁用ブロック１の貯水可能な空間部５に貯水される。そして、該貯水可能な空間部５の容量以上の水は、両端の中間壁前部頂部３ａの上部を通過して、擁壁用ブロック１の左右方向に排出され、さらに隣り合う擁壁用ブロック同士の間に設けられた水みち８へと導かれる。このことによって、水を貯水可能な空間部５に蓄えることができるとともに、貯水可能な空間部５の容量以上の水は、擁壁用ブロック１の表面を流れ落ちることもなくなる。
【００２２】
また、地山から排出された水または上部の水抜きパイプ９から流入する水を擁壁用ブロック１の左右方向に排出させずに一定の方向にのみ誘導する場合は、中間壁前部３ｂの上部に設置されている２個の中間壁前部頂部３ａの高さを違えることによって、あるいは中間壁前部３ｂの上部に設置されている中間壁前部頂部３ａを１個にすることによって特定方向に水を誘導することができる。
【００２３】
また、中間壁後部３ｃには、水抜きパイプ９と連通するための切欠部６が設けられている。切欠部６の位置および個数は任意で良い。例えば、中間壁３の背後の土中から直接水抜きパイプ９を切欠部６に連結しても良いし、水抜きパイプ９を控え部材４中を通して切欠部６に連結しても良い。水抜きパイプ９を控え部材４の中を通す場合は、予め擁壁用ブロックを製造する際に水抜きパイプ９を埋め込んでおけば、施工時に水抜きパイプ９を設置する手間が省けるという効果がある。
さらに、控え部材４が１個で、水抜きパイプ９を該控え部材４の上方中を通す場合は、切欠部６は不要である。
【００２４】
中間壁後部３ｃの上面には、擁壁用ブロック１同士を上下方向に連結するための連結用凸部３ｄが設けられている。この連結用凸部３ｄの形状は任意の形状で良いが、好ましくは略円錐台形状が良い。この連結用凸部３ｄの個数は任意で良く、１個でも複数個でも良い。
また、この連結用凸部３ｄに対応して、中間壁後部３ｃの下面には連結用凸部３ｄと篏合可能な形状を有する凹部が対応個数程設けられている。これによって、位置合わせが不要となるので擁壁を構築する作業が容易に且つ迅速に行うことができ、また、擁壁用ブロック１を積み重ねた際に前後左右方向に位置ずれするのを防止することができるので擁壁の構造を強固にすることが可能となる。
【００２５】
中間壁後部３ｃの上面および下面は、連結用凹部と凸部の部分を除いては、平面状に形成されている。これによって、上下方向の中間壁３同士は、安定した状態で連結することが可能となる。
一方、中間壁後部３ｃの両側面は、切断面が略半円状の曲面になるように形成されている。これによって、曲率を有する擁壁面を構築する場合であっても、隣り合う擁壁用ブロック１同士を滑らかに連結することが可能となる。尚、平面状の擁壁を構築する場合は、中間壁後部３ｃの両側面は、切断面が曲面を有さず直線であっても良い。
【００２６】
控え部材４は、中間壁３の裏側（地山側）に設けられる。控え部材４の数は１個でも良いし複数個でも良い。控え部材４の形状は任意の形状で良いが、胴込め材との引き抜き抵抗が大きい形状が好ましい。また、控え部材４の中に水抜きパイプ９を予め擁壁用ブロック１の製造時に埋め込んでおいても良い。控え部材４の上方中に水抜きパイプ９を埋め込んだ場合の１例を図１３及び図１４に示す。
【００２７】
以上説明した本発明に係わる擁壁用ブロック１は、一体成形で製造しても良く、または前壁２、中間壁３、控え部材４等を個々に成形した後任意の方法で連結して１個の擁壁用ブロック１を製造しても良い。
【００２８】
貯水可能な空間部５は、中間壁後部３ｃ、中間壁前部３ｂ、該中間壁前部３ｂの上部に位置する２個の中間壁前部頂部３ａ、および前壁２とで囲まれた空間からなる。貯水可能な空間部５には、上段の擁壁用ブロック１の切欠部６から排出された水または控え部材４の上方中に設置された場合の水抜きパイプ９から流入する水を貯めることができる。
【００２９】
この貯められた水は、植栽用や温度低下用に利用されるものである。すなわち、貯水可能な空間部５に土、埃、種子、胞子等が飛来してきて、温度条件等が揃えば発芽可能となり、植物や苔等による緑化が自然に開始されることになる。また、前壁２をポーラスコンクリート製とすれば、貯水可能な空間部５に貯えられた水は、ポーラスコンクリート中の連続空隙を通ってポーラスコンクリート製前壁２の表面に徐々に染み出て、擁壁用ブロック表面を湿潤状態に保つことができ、この湿潤状態を保つことによって、苔等が活着・生育しやすくなる環境を提供することができる。
【００３０】
また、前壁２をポーラスコンクリート製とすれば、貯水可能な空間部５に貯えられた水は、ポーラスコンクリート中の連続空隙を通ってポーラスコンクリート製前壁２の表面に徐々に染み出て、蒸散してしまう。この蒸散作用によって、擁壁用ブロック１ひいては擁壁の周囲の気温を低下させることができる。
このような擁壁用ブロック表面を湿潤状態に保つためには、前壁２の素材の全部または一部を吸水率の高いセメント系素材やポーラスコンクリートを用いて製造すれば良い。
【００３１】
切欠部６は、地山背後の土中の水を排出するための水抜きパイプ９の端部が連結される部分である。この切欠部６は、擁壁用ブロック１の中間壁３の中間壁後部３ｃの下端に設けられており、下端での位置は任意であるが、水抜きパイプ９が控え部材４中に埋め込まれている場合は、控え部材４の延長線上に並ぶものであり、水抜きパイプ９が控え部材４中に埋め込まれていない場合は、貯水可能な空間部５の真ん中の垂直線上に位置することが好ましい。
【００３２】
植栽部１６は、隣り合う擁壁用ブロック１の中間壁前部３ｂ同士の間に設けることができる。この植栽部１６は、水透過性材料又は植生基盤によって構成することができる。この水透過性材料又は植生基盤を隣り合う擁壁用ブロック１の中間壁前部３ｂ同士の間に固定する方法は、特に限定されるものではなく、例えば種々の補助具等を用いて固定しても良く、水透過性材料又は植生基盤自体が隣り合う擁壁用ブロック１の中間壁前部頂部３ａのそれぞれの肩にかかるように設置しても良い。この構成によって、植栽部１６は水みち８上に位置することになるので、水みち８を通過する水が植栽部１６へ供給されることになるし、過剰な水は植栽部１６を通り抜けて、水みち８を通って下方へと流れ落ちて行くことになる。この植栽部１６に土、埃、種子、胞子等が飛来してきて、温度条件等が揃えば発芽可能となり、植物や苔等による緑化が自然に開始されることになる。また、予め水透過性材料又は植生基盤に種子や胞子等を固定しておいても良い。該植栽部１６は水透過性を有するため過剰な水分は該植栽部１６の系外へ排出されるので、根腐れ等を引き起こすことはない。
【００３３】
次に、本発明の擁壁用ブロック１を用いて擁壁を構築する方法について説明する。まず、擁壁用ブロック１を敷設するための基礎コンクリート１４部分を施工する。次いで、一段目の擁壁用ブロック１を基礎コンクリート１４上に敷設していく。その後、一段目の擁壁用ブロック１と背後の法面との間の空隙内に、一段目の擁壁用ブロック１の上端近くまで裏込め材料を充填する。次に、二段目の擁壁用ブロック１を積み重ねた場合に該二段目の擁壁用ブロック１の切欠部６の位置に合致すると推測される位置において、適宜の長さを有する水抜きパイプを地盤中に埋め込んだ後、水抜きパイプの露出した端部を二段目の擁壁用ブロック１の切欠部６に適宜の深さだけ差し込むと共に、二段目の擁壁用ブロック１の連結用凹部を一段目の擁壁用ブロック１の連結用凸部３ｄと嵌合させて、二段目の擁壁用ブロック１を一段目の擁壁用ブロック１上に積み重ねる。この際、二段目の擁壁用ブロック１は、一段目の擁壁用ブロック１に対して半身だけ左右方向にずらして設置しても良い。二段目の擁壁用ブロック１を積み終えた後、二段目の擁壁用ブロック１と背後の法面の間の空隙内に、二段目の擁壁用ブロック１の上端近くまで裏込め材料を充填する。そして、順次同様の作業を繰り返し施工し、最後の段の擁壁用ブロック１の上方を天端コンクリート１１で被覆すれば、擁壁が完成する。
【００３４】
擁壁用ブロックを半身だけ左右方向にずらして構築した擁壁の場合、擁壁背後の土中の水は、水抜きパイプ９を通って擁壁用ブロック１の中間壁前部３ｂに設けられた切欠部６通じて排出され、この排出された水は、下段の擁壁用ブロック１の貯水可能な空間部５へ貯えられ、更に貯水可能な空間部５から溢れた水は、両端の中間壁前部頂部３ａの上部を越えて通過し、該擁壁用ブロック１の左右方向に排出され、さらに隣り合う擁壁用ブロック１同士の間の水みち８を通じて下段の貯水可能な空間部５へと流れ落ちる。以下同様に流れ落ち、最終的には最下段の擁壁用ブロック１の中間壁前部３ｂに設けられた切欠部６通じて擁壁下部前面に設けられた排水溝１０へと排水される。
【図面の簡単な説明】
【００３５】
【図１】本発明の擁壁用ブロックの一例を示す正面図である。
【図２】図１の擁壁用ブロックの平面図である。
【図３】図１の擁壁用ブロックの側面図である。
【図４】図１の擁壁用ブロックの背面図である。
【図５】図１の擁壁用ブロックのＡ−Ａ断面図である。
【図６】図１の擁壁用ブロックの斜視図である。
【図７】図１の擁壁用ブロックの背後からの斜視図である。
【図８】図１の擁壁用ブロックの前壁を取り除いたときの斜視図である。
【図９】図１の擁壁用ブロックを用いて構築した擁壁の一例およびその周囲を示す正面図である。
【図１０】図９の擁壁の斜視図である。
【図１１】図９の擁壁の断面図である。
【図１２】本発明の擁壁用ブロックの更なる他の例を示す擁壁用ブロックの斜視図である。
【図１３】図１２の擁壁用ブロックの背後からの斜視図である。
【図１４】図１２の擁壁用ブロックの断面図である。
【図１５】図１２の擁壁用ブロックを用いて構築した擁壁の一例およびその周囲を示す斜視図である。
【図１６】図９の植栽部設置部分付近の部分拡大図である。
【符号の説明】
【００３６】
１  擁壁用ブロック
２  前壁
３  中間壁
３ａ  中間壁前部頂部
３ｂ  中間壁前部
３ｃ  中間壁後部
３ｄ  連結用凸部
４  控え部材
５  貯水可能な空間
６  切欠部
７  水みち
８  水みち
９  水抜きパイプ
１０  排水溝
１１  天端コンクリート
１２  裏込砂利
１３  胴込コンクリート
１４  基礎コンクリート
１５  不透水層
１６  植栽部
【図１】
2005290664.tif 000003
【図２】
2005290664.tif 000004
【図３】
2005290664.tif 000005
【図４】
2005290664.tif 000006
【図５】
2005290664.tif 000007
【図６】
2005290664.tif 000008
【図７】
2005290664.tif 000009
【図８】
2005290664.tif 000010
【図９】
2005290664.tif 000011
【図１０】
2005290664.tif 000012
【図１１】
2005290664.tif 000013
【図１２】
2005290664.tif 000014
【図１３】
2005290664.tif 000015
【図１４】
2005290664.tif 000016
【図１５】
2005290664.tif 000017
【図１６】
2005290664.tif 000018